(57)【要約】  ファイバフェルールと３ポートサーキュレータサブアセンブリと合波／分波サブアセンブリと光発信サブアセンブリと光受信サブアセンブリとを含むシングルファイバ結合の多波長光送受信モジュールであって、光送受信モジュールは光受信部分と光発信部分とを含み、光受信部分の光束は、ファイバフェルールからサーキュレータサブアセンブリの第１のポートに入射され、第２のポートを経由して合波／分波サブアセンブリに出力されて分波されてから、光受信サブアセンブリによって受信され、光発信部分の光束は、光発信サブアセンブリから合波／分波サブアセンブリに入射されて合波されてから、サーキュレータサブアセンブリの第３のポートに入射され、第１のポートから出射されて、ファイバフェルールに入射される。従来の光送受信モジュールのファイバが絡むリスクを解決すると同時にデバイスを小型化する。【選択図】  図２
2016535326.tif 000002
【特許請求の範囲】
【請求項１】
ファイバフェルールと、
第１のポート、第２のポート及び第３のポートの３つのポートを含むサーキュレータサブアセンブリと、
合波／分波サブアセンブリと、
光発信サブアセンブリと、
光受信サブアセンブリと、
を含むシングルファイバ結合の多波長光送受信モジュールであって、
前記光送受信モジュールは、光受信部分と光発信部分とを含み、
前記光受信部分の光束は、前記ファイバフェルールから前記サーキュレータサブアセンブリの前記第１のポートに入射されてから、前記サーキュレータサブアセンブリの前記第２のポートを経由して前記合波／分波サブアセンブリに出力されて、前記合波／分波サブアセンブリによって分波されてから、前記光受信サブアセンブリによって受信され、
前記光発信部分の光束は、前記光発信サブアセンブリから前記合波／分波サブアセンブリに入射されて、前記合波／分波サブアセンブリによって合波されてから、前記サーキュレータサブアセンブリの前記第３のポートに入射されて、前記サーキュレータサブアセンブリの前記第１のポートから出射されて、前記ファイバフェルールに入射される
ことを特徴とするシングルファイバ結合の多波長光送受信モジュール。
【請求項２】
請求項１に記載のシングルファイバ結合の多波長光送受信モジュールであって、
前記サーキュレータサブアセンブリの前記３つのポートのうち、前記第１のポートは光束を入力／出力する双方向ポートで、前記第２のポートは光束を出力する単方向ポートで、前記第３のポートは光束を入力する単方向ポートである
ことを特徴とするシングルファイバ結合の多波長光送受信モジュール。
【請求項３】
請求項１に記載のシングルファイバ結合の多波長光送受信モジュールであって、
前記サーキュレータサブアセンブリは、さらに、偏光子と、非相反回転子と、検光子と、を含む
ことを特徴とするシングルファイバ結合の多波長光送受信モジュール。
【請求項４】
請求項３に記載のシングルファイバ結合の多波長光送受信モジュールであって、
前記偏光子は、偏光ビームスプリッタ（ＰＢＳ）である
ことを特徴とするシングルファイバ結合の多波長光送受信モジュール。
【請求項５】
請求項３に記載のシングルファイバ結合の多波長光送受信モジュールであって、
前記偏光子は、複屈折結晶である
ことを特徴とするシングルファイバ結合の多波長光送受信モジュール。
【請求項６】
請求項３に記載のシングルファイバ結合の多波長光送受信モジュールであって、
前記偏光子は、偏光板である
ことを特徴とするシングルファイバ結合の多波長光送受信モジュール。
【請求項７】
請求項３に記載のシングルファイバ結合の多波長光送受信モジュールであって、
前記非相反回転子は、ファラデー回転子である
ことを特徴とするシングルファイバ結合の多波長光送受信モジュール。
【請求項８】
請求項３に記載のシングルファイバ結合の多波長光送受信モジュールであって、
前記非相反回転子は、ファラデー回転子及び１／２波長板により構成される
ことを特徴とするシングルファイバ結合の多波長光送受信モジュール。
【請求項９】
請求項３に記載のシングルファイバ結合の多波長光送受信モジュールであって、
前記検光子は、偏光ビームスプリッタ（ＰＢＳ）である
ことを特徴とするシングルファイバ結合の多波長光送受信モジュール。
【請求項１０】
請求項３に記載のシングルファイバ結合の多波長光送受信モジュールであって、
前記検光子は、複屈折結晶である
ことを特徴とするシングルファイバ結合の多波長光送受信モジュール。
【請求項１１】
請求項１に記載のシングルファイバ結合の多波長光送受信モジュールであって、
前記合波／分波サブアセンブリは、薄膜フィルタにより構成される
ことを特徴とするシングルファイバ結合の多波長光送受信モジュール。
【請求項１２】
請求項１１に記載のシングルファイバ結合の多波長光送受信モジュールであって、
前記薄膜フィルタは、少なくとも一枚の薄膜フィルタ部材を含む
ことを特徴とするシングルファイバ結合の多波長光送受信モジュール。
【請求項１３】
請求項１に記載のシングルファイバ結合の多波長光送受信モジュールであって、
前記合波／分波サブアセンブリは、ＰＬＣチップである
ことを特徴とするシングルファイバ結合の多波長光送受信モジュール。
【請求項１４】
請求項１に記載のシングルファイバ結合の多波長光送受信モジュールであって、
前記合波／分波サブアセンブリは、グレーティングである
ことを特徴とするシングルファイバ結合の多波長光送受信モジュール。
【請求項１５】
請求項１に記載のシングルファイバ結合の多波長光送受信モジュールであって、
前記合波／分波サブアセンブリは、低密度波長分割多重器（ＣＷＤＭ）である
ことを特徴とするシングルファイバ結合の多波長光送受信モジュール。
【請求項１６】
請求項１に記載のシングルファイバ結合の多波長光送受信モジュールであって、
前記合波／分波サブアセンブリは、高密度波長分割多重器（ＤＷＤＭ）である
ことを特徴とするシングルファイバ結合の多波長光送受信モジュール。
【請求項１７】
請求項１に記載のシングルファイバ結合の多波長光送受信モジュールであって、
前記合波／分波サブアセンブリは、任意信号周波数の波長分割多重器（ＷＤＭ）である
ことを特徴とするシングルファイバ結合の多波長光送受信モジュール。
【請求項１８】
請求項１に記載のシングルファイバ結合の多波長光送受信モジュールであって、
前記合波／分波サブアセンブリ及び前記光受信サブアセンブリは、一枚のＰＬＣチップ内に集積されている
ことを特徴とするシングルファイバ結合の多波長光送受信モジュール。
【請求項１９】
ファイバフェルールと、
第１のポート、第２のポート及び第３のポートの３つのポートを含むサーキュレータサブアセンブリと、
合波／分波サブアセンブリと、
光発信サブアセンブリと、
光受信サブアセンブリと、
を含むシングルファイバ結合の多波長光送受信モジュールであって、
前記光送受信モジュールは、光受信部分と光発信部分とを含み、
前記光受信部分の光束は、前記ファイバフェルールから前記合波／分波サブアセンブリに入射されて、前記合波／分波サブアセンブリによって分波されてから、前記サーキュレータサブアセンブリの前記第１のポートに入射されて、前記サーキュレータサブアセンブリの前記第２のポートを経由して前記光受信サブアセンブリに出力されて、前記光受信サブアセンブリによって受信され、
前記光発信部分の光束は、前記光発信サブアセンブリから前記サーキュレータサブアセンブリの前記第３のポートに入射されて、前記サーキュレータサブアセンブリの前記第１のポートから出射されてから、前記合波／分波サブアセンブリに入射されて、前記合波／分波サブアセンブリによって合波されてから、前記ファイバフェルールに入射される
ことを特徴とするシングルファイバ結合の多波長光送受信モジュール。
【発明の詳細な説明】
【技術分野】
【０００１】
本発明は、光ファイバ通信分野に関し、特にＱＳＦＰ＋光ファイバ伝送用のシングルファイバ結合の多波長光送受信モジュールに関する。
【背景技術】
【０００２】
近年、ブロードバンドネットワークが普及するにつれて、データーセンターの各層の設備（デバイス）の間を高速に相互接続することが必要となっている。低コスト、低消費、高密度の伝送を実現するために、業界では外部ネットワーク向けのコアルータの伝送ポートとしてＱＳＦＰ＋モジュールを用いるようになり、このＱＳＦＰ＋モジュールは漸進的にスイッチ及びサーバ層にも拡大していくものと見られる。
【０００３】
図１に示すように、従来のＱＳＦＰ＋モジュールは、デュアルファイバ結合の多波長光送受信モジュールに用いられている。図１は、従来技術における光送受信モジュールを示す図で、光送受信モジュールは入力／出力の二つのポート即ちポートＡ及びＢを含み、ポートＡ及びＢはそれぞれ光を入力／出力する光ファイバと接続され、かつ、入力／出力のデュアルファイバはともにサーキュレータサブアセンブリＭと接続されている。そのため、デュアルファイバのファイバが絡むリスクが存在する。また、サーキュレータサブアセンブリＭが光送受信モジュールＮの外部に配設されているため、外部配置のサーキュレータサブアセンブリによって、ＱＳＦＰ＋モジュールの全体の体積が大きくなっている。
【発明の概要】
【発明が解決しようとする課題】
【０００４】
従来のデュアルファイバ結合の多波長光送受信モジュールに存在するファイバが絡むリスクを解決するために、本発明はシングルファイバ結合の多波長光送受信モジュールを提供する。
【０００５】
本発明のもう一つの目的は、シングルファイバ結合の多波長光送受信モジュールを提供して、デバイス小型化の需要に応えることである。
【課題を解決するための手段】
【０００６】
本発明に係るシングルファイバ結合の多波長光送受信モジュールの具体的な構成は、ファイバフェルールと、第１のポート、第２のポート及び第３のポートの３つのポートを含むサーキュレータサブアセンブリと、合波／分波サブアセンブリと、光発信サブアセンブリと、光受信サブアセンブリと、を含むシングルファイバ結合の多波長光送受信モジュールであって、前記光送受信モジュールは、光受信部分と光発信部分とを含み、前記光受信部分の光束は、前記ファイバフェルールから前記サーキュレータサブアセンブリの前記第１のポートに入射されてから、前記サーキュレータサブアセンブリの前記第２のポートを経由して前記合波／分波サブアセンブリに出力されて、前記合波／分波サブアセンブリによって分波されてから、前記光受信サブアセンブリによって受信され、前記光発信部分の光束は、前記光発信サブアセンブリから前記合波／分波サブアセンブリに入射されて、前記合波／分波サブアセンブリによって合波されてから、前記サーキュレータサブアセンブリの前記第３のポートに入射されて、前記サーキュレータサブアセンブリの前記第１のポートから出射されて、前記ファイバフェルールに入射される。
【０００７】
好ましくは、前記サーキュレータサブアセンブリの前記３つのポートのうち、前記第１のポートは光束を入力／出力する双方向ポートで、前記第２のポートは光束を出力する単方向ポートで、前記第３のポートは光束を入力する単方向ポートである。
【０００８】
好ましくは、前記サーキュレータサブアセンブリは、さらに、偏光子と、非相反回転子と、検光子と、を含む。
【０００９】
好ましくは、前記偏光子は、偏光ビームスプリッタ（ＰＢＳ）、複屈折結晶、又は偏光板である。
【００１０】
好ましくは、前記非相反回転子は、ファラデー回転子、又はファラデー回転子及び１／２波長板により構成される。
【００１１】
好ましくは、前記検光子は、偏光ビームスプリッタ（ＰＢＳ）、又は複屈折結晶である。
【００１２】
好ましくは、前記合波／分波サブアセンブリは、少なくとも一枚の薄膜フィルタ部材を含む薄膜フィルタ、平面光波回路（ＰＬＣ：Ｐｌａｎａｒ  Ｌｉｇｈｔｗａｖｅ  Ｃｉｒｃｕｉｔ）チップ、又はグレーティングである。
【００１３】
好ましくは、前記合波／分波サブアセンブリは、低密度波長分割多重器（ＣＷＤＭ）、高密度波長分割多重器（ＤＷＤＭ）又は任意信号周波数の波長分割多重器（ＷＤＭ）である。
【００１４】
好ましくは、前記合波／分波サブアセンブリ及び前記光受信サブアセンブリは、一枚のＰＬＣチップ内に集積されている。
【００１５】
本発明に係る光送受信モジュールのもう一つの実施形態は、ファイバフェルールと、第１のポート、第２のポート及び第３のポートの３つのポートを含むサーキュレータサブアセンブリと、合波／分波サブアセンブリと、光発信サブアセンブリと、光受信サブアセンブリと、を含むシングルファイバ結合の多波長光送受信モジュールであって、前記光送受信モジュールは、光受信部分と光発信部分とを含み、前記光受信部分の光束は、前記ファイバフェルールから前記合波／分波サブアセンブリに入射されて、前記合波／分波サブアセンブリによって分波されてから、前記サーキュレータサブアセンブリの前記第１のポートに入射されて、前記サーキュレータサブアセンブリの前記第２のポートを経由して前記光受信サブアセンブリに出力されて、前記光受信サブアセンブリによって受信され、前記光発信部分の光束は、前記光発信サブアセンブリから前記サーキュレータサブアセンブリの前記第３のポートに入射されて、前記サーキュレータサブアセンブリの前記第１のポートから出射されてから、前記合波／分波サブアセンブリに入射されて、前記合波／分波サブアセンブリによって合波されてから、前記ファイバフェルールに入射される。
【発明の効果】
【００１６】
従来技術と対比すると、本発明に係る光送受信モジュールの長点及び積極的な効果は、以下に示す通りである。まず、シングルファイバによる結合であるため、デュアルファイバのファイバが絡むリスクを回避することができる。次に、サーキュレータサブアセンブリの機能を光送受信モジュールの内部に集積しているため、集積デバイスの体積を低減することができる。最後に、本発明に係る光送受信モジュールは、波長帯域がＳバンド、Ｃバンド、Ｌバンドの波長の光に対して複数の波長の光結合を行うことができ、上記波長帯域はそれぞれ、例えば２チャネル、４チャネル、８チャネル、１６チャネル等の異なるチャネルを含むことができる。
【図面の簡単な説明】
【００１７】
【図１】従来技術における光送受信モジュールを示す図である。
【図２】本発明の第１の実施形態に係る光送受信モジュールを示す図である。
【図３ａ】本発明の第１の実施形態に係る光送受信モジュールの光受信部分の平面図である。
【図３ｂ】本発明の第１の実施形態に係る光送受信モジュールの光受信部分の側面図である。
【図４】本発明の第１の実施形態に係る光送受信モジュールの光発信部分の側面図である。
【図５】本発明の第２の実施形態に係る光送受信モジュールを示す図である。
【発明を実施するための形態】
【００１８】
図面を参照して、本発明の好適な実施例について詳細に説明する。
【００１９】
以下では、図面及び具体的な実施形態に基づいて、本発明についてさらに詳細に説明する。
【００２０】
図２に示すように、本発明の第１の実施形態に係るデュアルファイバ結合の多波長光送受信モジュールは、ファイバフェルール１と、サーキュレータサブアセンブリ２と、合波／分波サブアセンブリ３と、光発信サブアセンブリ４と、光受信サブアセンブリ５とを含む。サーキュレータサブアセンブリ２は、３つのポートを含み、３つのポートはそれぞれ第１のポートａ、第２のポートｂ及び第３のポートｃである。そして、第１のポートａは光束を入力／出力する双方向ポートで、第２のポートｂは光束を出力する単方向ポートで、第３のポートｃは光束を入力する単方向ポートである。本発明に係る光送受信モジュールは、光受信部分と光発信部分とを含む。光受信部分の光束は、ファイバフェルール１からサーキュレータサブアセンブリ２の第１のポートａに入射されてから、サーキュレータサブアセンブリの第２のポートｂを経由して合波／分波サブアセンブリ３に出力されて、合波／分波サブアセンブリ３によって分波されてから、光受信サブアセンブリ４によって受信される。光発信部分の光束は、光発信サブアセンブリ５から合波／分波サブアセンブリ３に入射されて、合波／分波サブアセンブリ３によって合波されてから、サーキュレータサブアセンブリ２の第３のポートｃに入射されて、サーキュレータサブアセンブリ２の第１のポートａから出射されて、ファイバフェルール１に入射される。
【００２１】
図３ａ及び図３ｂは、それぞれ本発明に係る光送受信モジュールの光受信部分の平面図及び側面図である。サーキュレータサブアセンブリ２は、さらに、偏光子２１と、非相反回転子２２と、検光子２３と、を含む。光束は、ファイバフェルール１からサーキュレータサブアセンブリ２の第１のポートａに入射されて、偏光子２１によって偏光されて直線偏光を非相反回転子２２に出力されて、非相反回転子２２を経由して検光子２３に出力されて、検光子２３によって偏光を検光されて、第２のポートｂから合波／分波サブアセンブリ３に出力されて、合波／分波サブアセンブリ３によって分波されてから、光受信サブアセンブリ４によって受信される。また、上記偏光子２１は、好ましくは、例えば、偏光ビームスプリッタ（ＰＢＳ）、複屈折結晶又は偏光板である。上記非相反回転子２２は、好ましくは、例えば、ファラデー回転子、又はファラデー回転子及び１／２波長板による構成である。上記検光子２３は、好ましくは、例えば、偏光ビームスプリッタ（ＰＢＳ）、又は複屈折結晶である。
【００２２】
また、合波／分波サブアセンブリ３は、好ましくは、例えば、少なくとも一枚の薄膜フィルタ部材を含む薄膜フィルタ、又はＰＬＣチップである。また、好ましくは、合波／分波サブアセンブリ３及び光受信サブアセンブリ４は、１枚のＰＬＣチップ内に集積されている。また、好ましくは、合波／分波サブアセンブリ３は、グレーティングである。
【００２３】
また、上記合波／分波サブアセンブリ３は、好ましくは、低密度波長分割多重器（ＣＷＤＭ）、高密度波長分割多重器（ＤＷＤＭ）、又は任意信号周波数の波長分割多重器（ＷＤＭ）である。
【００２４】
図４は、本発明に係る光送受信モジュールの光発信部分の側面図である。光束は、光発信サブアセンブリ５から合波／分波サブアセンブリ３に出射されて、合波／分波サブアセンブリ３によって合波されて、サーキュレータサブアセンブリ２の第３のポートｃに入射されて、検光子２３によって偏光されて直線偏光を非相反回転子２２に出力されて、非相反回転子２２によって偏光状態を９０°回転されて偏光子２１に出力されて、サーキュレータサブアセンブリ２の第１のポートａからファイバフェルール１に出射されて、ファイバフェルール１によって光送受信モジュールから発射される。
【００２５】
図５は、本発明の第２の実施形態に係る光送受信モジュールを示す図である。図５に示すように、光送受信モジュールは、ファイバフェルール１と、サーキュレータサブアセンブリ２と、合波／分波サブアセンブリ３と、光発信サブアセンブリ４と、光受信サブアセンブリ５と、を含む。サーキュレータサブアセンブリ２は３つのポートを含み、３つのポートはそれぞれ第１のポートａ、第２のポートｂ及び第３のポートｃである。そして、第１のポートａは光束を入力／出力する双方向ポートで、第２のポートｂは光束を出力する単方向ポートで、第３のポートｃは光束を入力する単方向ポートである。本発明に係る光送受信モジュールは、光受信部分と光発信部分とを含む。光受信部分の光束は、ファイバフェルール１から合波／分波サブアセンブリ３に入射されて、合波／分波サブアセンブリ３によって分波されてから、サーキュレータサブアセンブリ２の第１のポートａに入射されて、サーキュレータサブアセンブリの第２のポートｂを経由して光受信サブアセンブリ４に出力されて、光受信サブアセンブリ４によって受信される。光発信部分の光束は、光発信サブアセンブリ５からサーキュレータサブアセンブリ２の第３のポートｃに入射されて、サーキュレータサブアセンブリ２の第１のポートａから出射されてから、合波／分波サブアセンブリ３に入射されて、合波／分波サブアセンブリ３によって合波されてから、ファイバフェルール１に入射されてファイバフェルール１から出射される。各サブアセンブリの具体的な構成は、第１の実施形態と同様であるため、ここでは説明を省略する。
【００２６】
従来技術と対比すると、本発明に係る光送受信モジュールの長点及び積極的な効果は、以下に示す通りである。まず、シングルファイバによる結合であるため、デュアルファイバのファイバが絡むリスクを回避することができる。次に、サーキュレータサブアセンブリの機能を光送受信モジュールの内部に集積しているため、集積デバイスの体積を低減することができる。最後に、本発明に係る光送受信モジュールは、波長帯域がＳバンド、Ｃバンド、Ｌバンドの波長の光に対して複数の波長の光結合を行うことができ、上記波長帯域はそれぞれ、例えば２チャネル、４チャネル、８チャネル、１６チャネル等の異なるチャネルを含むことができる。
【００２７】
以上の記載は、本発明の好適な実施形態に過ぎず、本発明の範囲を限定するものではない。本発明の特許請求の範囲に対する等効果の変更又は修飾は、すべて本発明の範囲に含まれる。
【図１】
2016535326.tif 000003
【図２】
2016535326.tif 000004
【図３ａ】
2016535326.tif 000005
【図３ｂ】
2016535326.tif 000006
【図４】
2016535326.tif 000007
【図５】
2016535326.tif 000008
【国際調査報告】
2016535326.tif 000009
2016535326.tif 000010
2016535326.tif 000011
2016535326.tif 000012